(57)【要約】【課題】ユーザが簡易に所望の画像データを格納できる「オーディオ装置」を提供する。【解決手段】オーディオ装置１０の制御部６は、再生の対象となるポータブルオーディオプレイヤ１００のオーディオファイルが変化したならば、ポータブルオーディオプレイヤ１００から、新たに再生対象となったオーディオファイルのメタ情報と、新たに再生対象となったオーディオファイルに関連付けられている画像ファイルの画像データを取得する。そして、取得した新たに再生対象となったオーディオファイルのメタ情報が、記憶装置８に設定された画像データ抽出キー情報が示す条件を満たしているかどうかを調べ、満たしていない場合には、取得したメタ情報画像ファイルの画像データが表す画像を表示装置２に表示し、満たしている場合には、新たに再生対象となったオーディオファイルの再生をスキップし、取得した画像データを記憶装置８に保存する。【選択図】図１
2008146764.tif 000002
【特許請求の範囲】
【請求項１】
楽曲の属性を表すメタ情報が設定されたオーディオファイルと、オーディオファイルに関連付けられた画像とを記憶し、記憶したオーディオファイルの再生を行うポータブルオーディオプレイヤを接続可能なオーディオ装置であって、
前記ポータブルオーディオプレイヤを制御して、当該ポータブルオーディオプレイヤに格納されたオーディオファイルを再生する再生制御手段と、
画像を記憶する画像記憶手段と、
前記ポータブルオーディオプレイヤに記憶されているオーディオファイルのメタ情報を参照し、予め定めた条件を満たすメタ情報が設定されたオーディオファイルに関連付けられた画像を前記ポータブルオーディオプレイヤから取得し、前記画像記憶手段に記憶する付加情報処理部とを有することを特徴とするオーディオ装置。
【請求項２】
請求項１記載のオーディオ装置であって、
表示装置を有し、
前記付加情報処理部は、
前記再生制御手段が再生するオーディオファイルを再生対象オーディオファイルとして、再生対象オーディオファイルのメタ情報と、再生対象オーディオファイルに関連付けられた画像とを前記ポータブルオーディオプレイヤより取得する付加情報取得手段と、
前記付加情報取得手段が取得したメタ情報が前記条件を満たす場合に、前記付加情報取得手段が取得した画像を前記画像記憶手段に記憶すると共に、前記再生制御手段に、当該再生対象オーディオファイルの再生をスキップさせる画像記憶処理手段と、
前記付加情報取得手段が取得したメタ情報が前記条件を満たさない場合に、前記付加情報取得手段が取得したメタ情報と画像とのうちの少なくとも一方を前記表示装置に表示する付加情報提示手段とを有することを特徴とするオーディオ装置。
【請求項３】
請求項１または２記載のオーディオ装置であって、
前記メタ情報は、楽曲のタイトルを表す文字列と楽曲のアーティストを表す文字列を含み、
前記条件は、前記メタ情報に含まれる楽曲のタイトルを表す文字列と楽曲のアーティストを表す文字列とのうちの少なくとも一方が満たすべき条件を含むことを特徴とするオーディオ装置。
【請求項４】
楽曲の属性を表すメタ情報が設定されたオーディオファイルと、オーディオファイルに関連付けられた画像とを記憶し、記憶したオーディオファイルの再生を行うポータブルオーディオプレイヤを接続可能なオーディオ装置に、画像を転送し格納する方法であって、
前記オーディオ装置において、前記ポータブルオーディオプレイヤに記憶されているオーディオファイルのメタ情報を取得を参照し、予め定めた条件を満たすメタ情報が設定されたオーディオファイルを特定するステップと、
前記オーディオ装置において、特定したオーディオファイルに関連付けられた画像を前記ポータブルオーディオプレイヤから取得し記憶するステップとを有することを特徴とするオーディオ装置への画像格納方法。
【発明の詳細な説明】
【技術分野】
【０００１】
本発明は、オーディオ装置に画像データを転送し格納する技術に関するものである。
【背景技術】
【０００２】
オーディオ装置に画像データを転送し格納する技術としては、パーソナルコンピュータにおいて画像データを記録したリムーバブルな記憶媒体を作成し、オーディオ装置に、当該記憶媒体から画像データを読み取らせてオーディオ装置内に格納させる技術が知られている（たとえば、特許文献１）。
【０００３】
一方、オーディオ装置としては、内蔵したＨＤＤや半導体メモリに楽曲のオーディオファイルを記録し、記録したオーディオファイルを再生出力するポータブルオーディオプレイヤ（「ポータブル楽曲プレイヤ」とも呼称される）を組込可能なオーディオ装置も知られている（たとえば、特許文献１、特許文献２）。このようなオーディオ装置は、ポータブルオーディオプレイヤを接続するコネクタと、表示装置と、入力装置と、スピーカやオーディオアンプなどのオーディオ出力部とを備え、コネクタに接続されたポータブルオーディオプレイヤの操作を表示装置と入力装置とを用いたユーザインタフェースを介してユーザより受け付けると共に、当該ユーザインタフェースを介してユーザから再生を指示された楽曲のオーディオファイルをポータブルオーディオプレイヤに再生させると共に、当該再生に伴ってコネクタに入力する当該楽曲のオーディオ信号をオーディオ出力部から出力する。
【０００４】
また、このようなポータブルオーディオプレイヤに格納されるオーディオファイルやその他のメディアファイルやプレイリストなどコンテンツの内容を、当該ポータブルオーディオプレイヤが、パーソナルコンピュータに接続されたときに、パーソナルコンピュータ上で稼働しているジュークボックスアプリケーションが管理しているコンテンツの内容に同期化する（一致性させる）技術も知られている（たとえば、特許文献４）。なお、ジュークボックスアプリケーションは、パーソナルコンピュータ上で、オーディオファイルの管理や再生を行うアプリケーションである。
【特許文献１】特開2005-309069号公報
【特許文献２】特開2002-175685号公報
【特許文献３】特開2006-48867号公報
【特許文献４】特表2005-507130号公報
【発明の開示】
【発明が解決しようとする課題】
【０００５】
前述した、パーソナルコンピュータで作成したリムーバブルな記憶媒体から画像データをオーディオ装置に読み取らせ、オーディオ装置内に格納させる技術は、パーソナルコンピュータが取り扱えるリムーバブルな記憶媒体用のインタフェースを備えていないオーディオ装置には適用することができない。また、そのようなインタフェース備えている場合でも、オーディオ装置において、記憶媒体から画像データを読み出して格納するための、ユーザのオーディオ装置に対する煩雑な作業が必要となる。
【０００６】
そこで、本発明は、ユーザが簡易に所望の画像データをオーディオ装置に格納できるようにすることを課題とする。
【課題を解決するための手段】
【０００７】
前記課題達成のために、本発明は、楽曲の属性を表すメタ情報が設定されたオーディオファイルと、オーディオファイルに関連付けられた画像とを記憶し、記憶したオーディオファイルの再生を行うポータブルオーディオプレイヤを接続可能なオーディオ装置に、ポータブルオーディオプレイヤを制御して、ポータブルオーディオプレイヤに格納されたオーディオファイルを再生する再生制御手段と、画像を記憶する画像記憶手段と、前記ポータブルオーディオプレイヤに記憶されているオーディオファイルのメタ情報を取得を参照し、予め定めた条件を満たすメタ情報が設定されたオーディオファイルに関連付けられた画像を前記ポータブルオーディオプレイヤから取得し、前記画像記憶手段に記憶する付加情報処理部とを備えたものである。
【０００８】
このようなオーディオ装置によれば、ユーザは、簡易に、パーソナルコンピュータ上の所望の画像をオーディオ装置に転送し格納することができるようになる。
すなわち、パーソナルコンピュータ上で稼働するジュークボックスアプリケーションなどを用いて、ユーザが、所望の画像を適当なオーディオファイルに関連付けると共に、当該オーディオファイルのメタ情報を前記条件を満たすように編集し、ジュークボックスアプリケーションの機能を利用して、当該オーディオファイルを当該オーディオファイルに関連付けた画像と共に、ポータブルオーディオプレイヤに転送格納すると、その後、ポータブルオーディオプレイヤがオーディオ装置に接続された際に、オーディオ装置によって、自動的に、メタ情報に基づいて、ポータブルオーディオプレイヤに格納されているオーディオファイルのうちから、所望の画像が関連付けられたオーディオファイルが特定され、当該オーディオファイルに関連付けられた画像、すなわち、ユーザ所望の画像がポータブルオーディオプレイヤからオーディオ装置に転送され格納されることになる。
【０００９】
また、このようなオーディオ装置によれば、ポータブルオーディオプレイヤを介して画像をオーディオ装置に転送し格納することができるので、オーディオ装置に、ポータブルオーディオプレイヤ用のインタフェース以外の特段の記憶媒体用のインタフェースは必要ない。
【００１０】
ここで、このようなオーディオ装置が表示装置を備えている場合には、前記付加情報処理部を、前記再生制御手段が再生するオーディオファイルを再生対象オーディオファイルとして、再生対象オーディオファイルのメタ情報と、再生対象オーディオファイルに関連付けられた画像とを前記ポータブルオーディオプレイヤより取得する付加情報取得手段と、前記付加情報取得手段が取得したメタ情報が前記条件を満たす場合に、前記付加情報取得手段が取得した画像を前記画像記憶手段に記憶すると共に、前記再生制御手段に、当該再生対象オーディオファイルの再生をスキップさせる画像記憶処理手段と、前記付加情報取得手段が取得したメタ情報が前記条件を満たさない場合に、前記付加情報取得手段が取得したメタ情報と画像とのうちの少なくとも一方を前記表示装置に表示する付加情報提示手段とより構成してもよい。このようにすることによりポータブルオーディオプレイヤのオーディオファイルの再生処理の一環として、ポータブルオーディオプレイヤからオーディオ装置への、所望の画像の転送、格納を行うことができるようになる。
【００１１】
また、以上のオーディオ装置において、前記メタ情報は、楽曲のタイトルを表す文字列と楽曲のアーティストを表す文字列を含むものであってよく、この場合、前記条件は、前記メタ情報に含まれる楽曲のタイトルを表す文字列と楽曲のアーティストを表す文字列とのうちの少なくとも一方が満たすべき条件を含むものとしてよい。
【発明の効果】
【００１２】
以上のように、本発明によれば、ユーザが簡易に所望の画像データをオーディオ装置に格納することができる。
【発明を実施するための最良の形態】
【００１３】
以下、本発明の実施形態を説明する。
図１に本実施形態に係るオーディオ装置の構成を示す。
以下、本発明の実施形態を、自動車に搭載されるオーディオ装置（カーオーディオ装置）への適用を例にとり説明する。
図１に、本実施形態に係るオーディオ装置の構成を示す。
図示するように、オーディオ装置１０は、入力装置１、LCDなどである表示装置２、スピーカ３、オーディオ信号のイコライズ機能や増幅機能を備えたオーディオアンプ部４、オーディオセレクタ５、制御部６、ポータブルオーディオプレイヤ１００を挿抜可能に接続するコネクタ７、記憶装置８、ラジオ受信機やＣＤプレイヤなどである１または複数のオーディオソース９などを備えている。
【００１４】
そして、このような構成において、制御部６は、入力装置１と表示装置２を用いたユーザインタフェース上でユーザの各種操作を受け付けて各部を制御する。
すなわち、制御部６は、ユーザの出力ソース選択操作に応じて、ポータブルオーディオプレイヤ１００とオーディオソース９のいずれかを、出力ソース機器に設定すると共に、オーディオセレクタ５に出力ソース機器が出力するオーディオ信号をオーディオアンプ部４に出力させる。また、ユーザの再生制御操作に応じて出力ソース機器の再生動作を制御したり、ユーザのボリューム調整操作や音質調整操作に応じて、オーディオアンプ部４のイコライズ機能や増幅機能の特性を制御する。オーディオアンプ部４は、オーディオセレクタ５から入力するオーディオ信号に、制御部６の制御に従った特性のイコライズや増幅を施してスピーカ３に出力する。
【００１５】
次に、ポータブルオーディオプレイヤ１００には、図２ａに示すように、プレイヤデータベースと、複数のオーディオファイルと、複数の画像ファイルとが記憶される。
また、プレイヤデータベースには、オーディオファイルのリストであるプレイリストを１または複数表すプレイリスト情報と、楽曲情報とが格納されている。そして、楽曲情報は、ポータブルオーディオプレイヤ１００に格納されている各オーディオファイル毎に対応して各々設けられた楽曲情報レコードを有し、各楽曲情報レコードには、対応するオーディオファイルに格納されているオーディオデータが表す楽曲の属性を表すメタ情報と、オーディオファイルの識別情報などの、対応するオーディオファイルの各種情報を表すオーディオファイル情報と、画像ファイルの識別情報などの、対応するオーディオファイルに関連付けられている画像ファイルの各種情報を表す画像ファイル情報が登録される。また、各楽曲情報に登録される楽曲のメタ情報としては、楽曲のタイトル、アーティスト名、アルバム名、ジャンル等が登録される。
【００１６】
一方、記憶装置８には、図２ｂに示すように、記憶装置８に格納する画像ファイルの画像データを、ポータブルオーディオプレイヤ１００に格納されている画像ファイルのうちから抽出するための条件が、画像データ抽出キー情報として格納されている。ここで、この画像データ抽出キー情報としては、画像データを抽出する画像ファイルが関連付けられているオーディオファイルのメタ情報が満たすべき条件を表すものとする。
【００１７】
すなわち、たとえば、タイトル=ＸＸＸＸＸ、アーティスト名=ＺＺＺＺＺなどの条件を、画像データ抽出キー情報として記憶装置８に格納するようにする。なお、この画像データ抽出キー情報で規定する条件は、タイトル、アーティスト名、アルバム名、ジャンル等のメタ情報の項目のうちの任意数の任意の項目の条件としてよい。ただし、この条件は、通常の楽曲の属性を表すメタ情報がおよそ満たすことのない条件を設定する。
【００１８】
さて、このような構成において、ポータブルオーディオプレイヤ１００は、図１に示すように、ユーザが自宅等に所持するパーソナルコンピュータ２０にも、オーディオ装置１０にも選択的に接続できるように構成されている。
ここで、パーソナルコンピュータ２０上では、ジュークボックスアプリケーション２１と呼ばれる、オーディオファイルの管理、再生を行うアプリケーションが稼働しており、ユーザは、このジュークボックスアプリケーション２１に対して、パーソナルコンピュータ２０上のオーディオファイルを、ジュークボックスアプリケーション２１が管理するオーディオファイルとして登録することができる。また、ジュークボックスアプリケーション２１は、管理している各オーディオファイルのリストをプレイリストとして管理しており、ユーザは、このプレイリストを適宜編集、登録することができる。また、ジュークボックスアプリケーション２１は、管理している各オーディオファイルに関連付けられた画像ファイルも管理しており、ユーザは、ジュークボックスアプリケーション２１が管理しているオーディオファイルに対して、パーソナルコンピュータ２０上の任意の画像ファイルを関連付けることができる。また、ジュークボックスアプリケーション２１は、管理しているオーディオファイルのタイトル、アーティスト名、アルバム名、ジャンル等のメタ情報も併せて管理しており、ユーザは、ジュークボックスアプリケーション２１が管理しているオーディオファイルのメタ情報を適宜編集することができる。
【００１９】
したがって、ユーザは、ジュークボックスアプリケーション２１に任意のオーディオファイルを登録すると共に、当該オーディオファイルのメタ情報の各項目に所望の文字列を設定したり、当該オーディオファイルに所望の画像ファイルを関連付けたりすることができる。
なお、オーディオファイルに関連付けられた画像ファイルは、ジュークボックスアプリケーション２１によって、当該オーディオファイルの再生時や、当該オーディオファイルの管理情報の表示を要求された時に再生され、当該オーディオファイルのメタ情報と共に表示されることになる。一般的には、このようにオーディオファイルに関連付ける画像ファイルは、オーディオファイルの画像データが表す楽曲が含まれるアルバム/シングルのジャケット写真などが用いられる。
【００２０】
さて、ポータブルオーディオプレイヤ１００は、オーディオ装置１０にも、パーソナルコンピュータ２０にも接続されていないときには、ポータブルオーディオプレイヤ１００自身が備える操作部に対するユーザ操作に応じて、記憶しているプレイリストやオーディオファイルを再生出力する。
【００２１】
また、ポータブルオーディオプレイヤ１００が、パーソナルコンピュータ２０に接続されているときには、パーソナルコンピュータ２０上で稼働しているジュークボックスアプリケーション２１によって、ユーザ操作に応じて、または、ポータブルオーディオプレイヤ１００の接続に応答して上記特許文献４のような、コンテンツの同期化が行われる。
【００２２】
すなわち、パーソナルコンピュータ２０に接続されているときには、ユーザ操作に応じて、または、ポータブルオーディオプレイヤ１００の接続に応答して、パーソナルコンピュータ２０上で稼働しているジュークボックスアプリケーション２１によって、ポータブルオーディオプレイヤ１００に対する、ジュークボックスアプリケーション２１が管理しているオーディオファイルの転送及び格納や、当該オーディオファイルに関連付けられている画像ファイルのポータブルオーディオプレイヤ１００への転送及び格納や、プレイヤデータベースの更新が行われる。ここで、ジュークボックスアプリケーション２１によるプレイヤデータベースの更新は、ジュークボックスアプリケーション２１が管理しているプレイリストとオーディオファイルとの関係や、オーディオファイルとオーディオファイルのメタ情報とオーディオファイルに関連付けられている画像ファイルとの関係が、ポータブルオーディオプレイヤ１００においても維持されるようにプレイヤデータベースを更新することにより行う。
【００２３】
すなわち、たとえば、ジュークボックスアプリケーション２１によってオーディオファイルＸ、Ｙ、Ｚの３つのオーディオファイルが登録されたプレイリストが管理されていれば、オーディオファイルＸ、Ｙ、Ｚを転送して格納したポータブルオーディオプレイヤ１００上のオーディオファイルｘ、ｙ、ｚの３つのオーディオファイルが登録されたプレイリストが、プレイヤデータベースのプレイリスト情報に登録される。
【００２４】
また、たとえば、ジュークボックスアプリケーション２１によって管理されているパーソナルコンピュータ２０上のオーディオファイルＡのメタ情報は、オーディオファイルＡを転送して格納したポータブルオーディオプレイヤ１００上のオーディオファイルａの楽曲情報レコードのメタ情報に登録される。また、ジュークボックスアプリケーション２１によってオーディオファイルＡに関連付けられているパーソナルコンピュータ２０上の画像ファイルＡを転送元とするポータブルオーディオプレイヤ１００上の画像ファイルａの情報が、オーディオファイルａの楽曲情報レコードの画像ファイル情報に登録される。
【００２５】
この結果、ユーザは、ジュークボックスアプリケーション２１を介して、所望の文字列をメタ情報として与え、所望の画像ファイルを関連付けたオーディオファイルを、当該画像ファイルと共に、簡易にポータブルオーディオプレイヤ１００に格納することができる。
【００２６】
さて、ユーザは、オーディオ装置１０に格納したいパーソナルコンピュータ２０上の画像ファイルがある場合、以上のようなジュークボックスアプリケーション２１とポータブルオーディオプレイヤ１００の機能を利用して、オーディオ装置１０に転送し格納したい画像ファイルを関連付けた、記憶装置８に格納されている画像データ抽出キー情報が示す条件を満たすメタ情報を設定したオーディオファイルを作成し、当該画像ファイルと共にポータブルオーディオプレイヤ１００に格納する。すなわち、前述の例のように、オーディオ装置１０の記憶装置８に画像データ抽出キー情報としてタイトル=ＸＸＸＸＸ、アーティスト名=ＺＺＺＺＺが格納されている場合には、タイトルをＸＸＸＸＸ、アーティスト名をＺＺＺＺＺとしたメタ情報を設定し、オーディオ装置１０に格納したい画像ファイルに関連付けたオーディオファイルをジュークボックスアプリケーション２１に登録することにより、ジュークボックスアプリケーション２１の同期化機能を利用して、当該オーディオファイルを関連付けた画像ファイルと共に、ポータブルオーディオプレイヤ１００に格納する。
【００２７】
さて、ポータブルオーディオプレイヤ１００は、オーディオ装置１０に接続しているときには、制御部６からコネクタ７を介して発行されたコマンドによって、記憶しているプレイリストやオーディオファイルの再生動作が制御される。そして、ポータブルオーディオプレイヤ１００は、コネクタ接続時におけるオーディオファイルの再生動作時には再生したオーディオ信号をコネクタ７を介してオーディオセレクタ５に出力する。また、ポータブルオーディオプレイヤ１００は、オーディオ装置１０に接続しているときには、制御部６からコネクタ７を介して発行されたコマンドによって、再生中のオーディオファイルのメタ情報を要求されると、プレイヤデータベースの再生中のオーディオファイルの楽曲情報レコードに登録されているメタ情報を読み出し、コネクタ７を介して制御部６に送信する処理も行う。また、ポータブルオーディオプレイヤ１００は、制御部６からコネクタ７を介して発行されたコマンドによって、再生中のオーディオファイルに関連付けられた画像ファイルの画像データを要求されると、プレイヤデータベースの再生中のオーディオファイルの楽曲情報レコードに登録されている画像ファイル情報が示す画像ファイルを読み出し、コネクタ７を介して制御部６に画像ファイルに格納されている画像データを送信する処理も行う。
【００２８】
一方、オーディオ装置１０の制御部６は、ポータブルオーディオプレイヤ１００が出力ソース機器に設定されている期間中、入力装置１に対するユーザ操作等に応じて、ポータブルオーディオプレイヤ１００のプレイリストやオーディオファイルを再生対象とし、ポータブルオーディオプレイヤ１００のプレイリストやオーディオファイルの再生状態を管理しつつ、再生対象となったプレイリストやオーディオファイルのポータブルオーディオプレイヤ１００における再生を制御する再生制御処理を行う。
【００２９】
また、このような再生制御処理と併せて、ポータブルオーディオプレイヤ１００が出力ソース機器に設定されている期間中、制御部６は、図３に示す再生中楽曲情報提示処理を行う。
図示するように、この再生中楽曲情報提示処理は、ポータブルオーディオプレイヤ１００における再生の対象となっているオーディオファイルが変化するのを、再生制御処理が管理しているポータブルオーディオプレイヤ１００のオーディオファイル再生状態を参照しつつ監視する（ステップ３０２）。
【００３０】
そして、ポータブルオーディオプレイヤ１００における再生の対象となっているオーディオファイルが変化したならば、ポータブルオーディオプレイヤ１００にコマンドを発行し、新たに再生対象となったオーディオファイルのメタ情報と、新たに再生対象となったオーディオファイルに関連付けられた画像ファイルの画像データを取得する（ステップ３０４）。
【００３１】
そして、取得した新たに再生対象となったオーディオファイルのメタ情報が、画像データ抽出キー情報が示す条件を満たしているかどうかを調べる（ステップ３０６）。
そして、取得したメタ情報が画像データ抽出キー情報が示す条件を満たしていない場合には、取得したメタ情報が示す、新たに再生対象となったオーディオファイルのオーディオデータが表す楽曲のタイトルやアーティスト名などの楽曲の属性を表示装置表示すると共に、取得した新たに再生対象となったオーディオファイルに関連付けられた画像ファイルの画像データが表す画像を表示装置２に表示する（ステップ３１２）。そして、ステップ３０２に戻り、次の、再生対象のオーディオファイルの変化を待つ。
【００３２】
一方、取得したメタ情報が画像データ抽出キー情報が示す条件を満たしている場合には、取得した新たに再生対象となったオーディオファイルに関連付けられた画像ファイルの画像データを、画像ファイルとして記憶装置８に保存する（ステップ３０８）。そして、次に、再生スキップ要求を再生制御処理に発行し（ステップ３１０）、ステップ３０２に戻り、次の、再生対象のオーディオファイルの変化を待つ。
【００３３】
ここで、ステップ３１０で、再生楽曲情報提示処理から再生スキップ要求を受け取った再生制御処理は、プレイリスト等に従って次に再生対象とすべきオーディオファイルが存在する場合には、当該次に再生対象とすべきオーディオファイルに再生対象のオーディオファイルをスキップし、そのポータブルオーディオプレイヤ１００における再生動作を制御する。一方、次に再生対象とすべきオーディオファイルが存在しない場合には、ポータブルオーディオプレイヤ１００におけるオーディオファイルの再生動作を停止させる。
【００３４】
この結果、たとえば、前述の例のように、記憶装置８に画像データ抽出キー情報としてタイトル=ＸＸＸＸＸ、アーティスト名=ＺＺＺＺＺが格納されている場合に、ユーザがタイトルをＸＸＸＸＸ、アーティスト名をＺＺＺＺＺとしたメタ情報を設定してポータブルオーディオプレイヤ１００に格納したオーディオファイルまたは当該オーディオファイルを含むプレイリストの再生をユーザが指示すると、当該オーディオファイルが再生対象となったときに、当該オーディオファイルに関連付けてポータブルオーディオプレイヤ１００に格納されている画像ファイル、すなわち、ユーザがオーディオ装置１０に格納することを意図した画像データがオーディオ装置１０の記憶装置８に格納されることになる。また、このオーディオファイルの再生は常にスキップされるので、実際に再生されることはない。
【００３５】
以上、本発明の実施形態について説明した。
ところで、以上の実施形態では、ポータブルオーディオプレイヤ１００のオーディオファイルが再生対象となったときに、再生対象のオーディオファイルを対象として、当該オーディオファイルのメタ情報を取得し、取得したメタ情報が画像データ抽出キー情報が示す条件を満たしているかどうかを調べ、条件を満たしている場合に、当該オーディオファイルに関連づけられた画像ファイルの画像データを記憶装置８に記憶する処理を行うようにしたが、このような処理は、それが可能な場合には、オーディオファイルが再生対象であるかどうかとは無関係に行うようにしてもよい。すなわち、適時、ポータブルオーディオプレイヤ１００に格納されているオーディオファイルのメタ情報を取得し、取得したメタ情報が画像データ抽出キー情報が示す条件を満たしているかどうかを調べ、条件を満たしている場合に、当該オーディオファイルに関連づけられた画像ファイルの画像データをポータブルオーディオプレイヤ１００から取得して記憶装置８に記憶するようにしてよい。
【００３６】
なお、以上のようにしてオーディオ装置１０の記憶装置８に格納した画像ファイルの画像は、適時ユーザが閲覧できるようにしてもよい。また、このような画像ファイルの画像は、オーディオ装置１０における表示装置２の壁紙やスクリーンセーバーや起動画面などとして用いるようにしてもよい。また、このような画像ファイルの画像は、オーディオ装置１０にポータブルオーディオプレイヤ１００が接続されたときに、ポータブルオーディオプレイヤ１００に当該画像ファイルの画像データを転送して、ポータブルオーディオプレイヤ１００に、ポータブルオーディオプレイヤ１００自身が備える表示部に表示させるようにしてもよい。
【００３７】
以上のように本実施形態に係るオーディオ装置１０によれば、ユーザは、パーソナルコンピュータ２０上で所望の画像ファイルを適当なオーディオファイルに関連付けて当該オーディオファイルのメタ情報を編集し、その後に、これによりジュークボックスアプリケーション２１によってポータブルオーディオプレイヤ１００に転送される当該オーディオファイルの再生を、ポータブルオーディオプレイヤ１００が接続されたオーディオ装置１０上で指示するだけの簡易な操作で、パーソナルコンピュータ２０上の所望の画像ファイルをオーディオ装置１０に転送し格納することができるようになる。また、オーディオ装置１０に、ポータブルオーディオプレイヤ用のインタフェース以外の特段の記憶媒体用のインタフェースを必要とすることもない。
【図面の簡単な説明】
【００３８】
【図１】本発明の実施形態に係るオーディオ装置の構成を示すブロック図である。
【図２】本発明の実施形態に係るオーディオ装置の記憶装置とポータブルオーディオプレイヤの記憶内容を示す図である。
【図３】本発明の実施形態に係る再生中楽曲情報提示処理を示すフローチャートである。
【符号の説明】
【００３９】
１…入力装置、２…表示装置、３…スピーカ、４…オーディオアンプ部、５…オーディオセレクタ、６…制御部、７…コネクタ、８…記憶装置、９…オーディオソース、１０…オーディオ装置、２０…パーソナルコンピュータ、２１…ジュークボックスアプリケーション、１００…ポータブルオーディオプレイヤ。
【図１】
2008146764.tif 000003
【図２】
2008146764.tif 000004
【図３】
2008146764.tif 000005